(57)【要約】【課題】宅配物の大きさの変化に対して柔軟に対応する。【解決手段】列状に並んだ複数の単位空間Ｖｕによって内部空間Ｖが構成された収納ボックス１０と、隣接する単位空間Ｖｕ同士を仕切るために内部空間Ｖに配置された仕切板３と、仕切板３の位置を変更するために動く昇降機構５と、昇降機構５を動かすコントローラと、内部空間Ｖ内で宅配物を検知して宅配物の高さに応じた信号を出力するセンサ４と、を有する。コントローラは、センサ４から受信した信号に基づき、内部空間Ｖの中で宅配物の収納スペースを宅配物の高さに応じて設定し、設定された収納スペース内にある単位空間Ｖｕが連続するように仕切板３の位置を昇降機構５によって変更させる。【選択図】図４
2018149017.tif 000002
【特許請求の範囲】
【請求項１】
宅配物を収納する際に用いられる宅配物収納システムであって、
内部空間に前記宅配物を収納する収納ボックスであって、列状に並んだ複数の単位空間によって前記内部空間が構成された収納ボックスと、
隣接する前記単位空間同士を仕切るために前記内部空間に配置された仕切部と、
該仕切部の位置を変更するために動く可動部と、
該可動部を動かす制御部と、
前記内部空間内で前記宅配物を検知して、複数の前記単位空間が並ぶ方向における前記宅配物の長さに応じた信号を出力する検知部と、を有し、
前記制御部は、前記検知部から受信した前記信号に基づき、前記内部空間の中で前記宅配物の収納スペースを前記長さに応じて設定し、前記方向において前記収納スペース内にある前記単位空間が連続するような位置に前記仕切部の位置を変更させるために前記可動部を動かすことを特徴とする宅配物収納システム。
【請求項２】
複数の前記単位空間は、鉛直方向に並んでおり、
複数の前記単位空間の各々に対して、前記宅配物を前記内部空間に入れる際に開けられる扉が設けられており、
前記宅配物を前記内部空間に入れる際には、鉛直方向において連続して並んでいる前記長さに応じた数の前記扉が開けられることを特徴とする請求項１に記載の宅配物収納システム。
【請求項３】
前記可動部は、前記内部空間内で鉛直方向に移動して前記仕切部を昇降させる昇降機構であることを特徴とする請求項２に記載の宅配物収納システム。
【請求項４】
前回の前記宅配物を前記内部空間に入れた後に今回の前記宅配物を前記内部空間に入れる場合、前記制御部は、前記内部空間において、前回の前記宅配物が収納された前記収納スペースの直上位置に、今回の前記宅配物が収納される前記収納スペースを設定し、前回の前記宅配物が収納された前記収納スペースの中で最上部に位置する前記単位空間と今回の前記宅配物が収納される前記収納スペースの中で最下部に位置する前記単位空間との境界位置に前記仕切部の位置を変更させるために前記昇降機構を動かすことを特徴とする請求項３に記載の宅配物収納システム。
【請求項５】
前記制御部は、前記宅配物が前記内部空間中の前記収納スペースに収納された後、該収納スペースの上方に位置して前記宅配物を収納していない空きスペース内にある前記単位空間の数を算出し、算出された前記空きスペース内の前記単位空間の数に応じた情報を報知することを特徴とする請求項４に記載の宅配物収納システム。
【請求項６】
前記収納ボックスが水平方向に並べて複数配置されていることを特徴とする請求項５に記載の宅配物収納システム。
【請求項７】
前記制御部は、複数の前記収納ボックスの各々について前記空きスペース内の前記単位空間の数を算出し、
新たな前記宅配物がいずれかの前記収納ボックスの前記内部空間に入れられた際、前記制御部は、前記新たな前記宅配物の前記長さに応じた前記収納スペースを設定し、該収納スペース内の前記単位空間と同数の前記単位空間からなる前記空きスペースが前記内部空間に残されている前記収納ボックスがあるか否かを判定し、判定結果に応じた情報を報知することを特徴とする請求項６に記載の宅配物収納システム。
【発明の詳細な説明】
【技術分野】
【０００１】
本発明は、宅配物収納システムに係り、特に、様々な大きさの宅配物を収納することが可能な宅配物収納システムに関する。
【背景技術】
【０００２】
マンションのような集合住宅の共用部に宅配物収納ボックスを設置し、受取人不在の間に当該受取人宛ての宅配物を宅配物収納ボックスに収納しておくことは、既に知られている。また、宅配物収納ボックスの中には、大きさが異なる複数の収納部を有するものが存在する（例えば、特許文献１参照）。
【０００３】
特許文献１に記載の宅配ボックス装置について説明すると、収納空間のサイズが異なる複数種類の収納部が設けられている。また、特許文献１に記載の宅配ボックス装置では、宅配物の大きさを自動で計測し、計測された宅配物の大きさに応じて複数種類の収納部の中から一つを選び、その収納部の扉を自動で開くことになっている。このような構成であれば、宅配物のサイズに適した収納部に宅配物を収納することが可能となる。
【先行技術文献】
【特許文献】
【０００４】
【特許文献１】特開２０１２−１６８８００号公報
【発明の概要】
【発明が解決しようとする課題】
【０００５】
しかしながら、特許文献１に記載の宅配ボックス装置では、あるサイズの収納部すべてに宅配物が収納された状態では、同サイズの収納部がもはや使用されなくなる。
【０００６】
そこで、本発明は、上記の課題に鑑みてなされたものであり、その目的とするところは、宅配物の大きさの変化に対して柔軟に対応することが可能な宅配物収納システムを提供することである。
【課題を解決するための手段】
【０００７】
前記課題は、本発明の宅配物収納システムによれば、宅配物を収納する際に用いられる宅配物収納システムであって、内部空間に前記宅配物を収納する収納ボックスであって、列状に並んだ複数の単位空間によって前記内部空間が構成された収納ボックスと、隣接する前記単位空間同士を仕切るために前記内部空間に配置された仕切部と、該仕切部の位置を変更するために動く可動部と、該可動部を動かす制御部と、前記内部空間内で前記宅配物を検知して、複数の前記単位空間が並ぶ方向における前記宅配物の長さに応じた信号を出力する検知部と、を有し、前記制御部は、前記検知部から受信した前記信号に基づき、前記内部空間の中で前記宅配物の収納スペースを前記長さに応じて設定し、前記方向において前記収納スペース内にある前記単位空間が連続するような位置に前記仕切部の位置を変更させるために前記可動部を動かすことにより解決される。
【０００８】
上記のように構成された本発明の宅配物収納システムでは、収納ボックスの内部空間内において、宅配物の大きさ（厳密には、単位空間が並ぶ方向における長さ）を測ると共に、その大きさに応じた収納スペースを設定する。そして、収納ボックスの内部空間では、設定された収納スペース内にある単位空間が連続するように仕切部の位置が変更される。このような構成であれば、収納ボックスの内部空間において、宅配物の大きさに応じた収納スペースを適切に確保することが可能である。以上のように本発明の宅配物収納システムでは、様々な大きさの宅配物に対して柔軟に対応することが可能となる。
【０００９】
本発明の宅配物収納システムに関して好適な構成を述べると、複数の前記単位空間は、鉛直方向に並んでおり、複数の前記単位空間の各々に対して、前記宅配物を前記内部空間に入れる際に開けられる扉が設けられており、前記宅配物を前記内部空間に入れる際には、鉛直方向において連続して並んでいる前記長さに応じた数の前記扉が開けられるとよい。
上記の構成では、宅配物を収納ボックス内に入れる際、宅配物の大きさに応じた数の扉を開ける。このような構成であれば、宅配物を比較的容易に収納ボックス内に入れることが可能となる。
【００１０】
本発明の宅配物収納システムに関してより好適な構成を述べると、前記可動部は、前記内部空間内で鉛直方向に移動して前記仕切部を昇降させる昇降機構であるとよい。
上記の構成では、昇降機構の移動によって仕切部を昇降させることで、仕切部の位置を適切に変更することが可能となる。
【００１１】
本発明の宅配物収納システムに関して更に好適な構成を述べると、前回の前記宅配物を前記内部空間に入れた後に今回の前記宅配物を前記内部空間に入れる場合、前記制御部は、前記内部空間において、前回の前記宅配物が収納された前記収納スペースの直上位置に、今回の前記宅配物が収納される前記収納スペースを設定し、前回の前記宅配物が収納された前記収納スペースの中で最上部に位置する前記単位空間と今回の前記宅配物が収納される前記収納スペースの中で最下部に位置する前記単位空間との境界位置に前記仕切部の位置を変更させるために前記昇降機構を動かすとよい。
上記の構成では、収納ボックスの内部空間において、前回の宅配物が収納された収納スペースの直上位置に、今回の宅配物が収納される収納スペースが設定される。これにより、収納ボックスの内部空間を効率よく利用することが可能となる。
【００１２】
本発明の宅配物収納システムに関してより一層好適な構成を述べると、前記制御部は、前記宅配物が前記内部空間中の前記収納スペースに収納された後、該収納スペースの上方に位置して前記宅配物を収納していない空きスペース内にある前記単位空間の数を算出し、算出された前記空きスペース内の前記単位空間の数に応じた情報を報知するとよい。
上記の構成では、収納ボックスの内部空間における空きスペースの容量（厳密には、空きスペース内にある単位空間の数）を算出し、その算出結果に応じた情報が報知される。これにより、収納ボックスの利用者（例えば、宅配業者）は、現状の空きスペースを把握することが可能となる。
【００１３】
本発明の宅配物収納システムに関して益々好適な構成を述べると、前記収納ボックスが水平方向に並べて複数配置されているとよい。
上記の構成では、収納ボックスが複数配置されている。このような構成であれば、様々な大きさの宅配物に対してより柔軟に対応することが可能となる。
【００１４】
本発明の宅配物収納システムに関して益々好適な構成を述べると、前記制御部は、複数の前記収納ボックスの各々について前記空きスペース内の前記単位空間の数を算出し、新たな前記宅配物がいずれかの前記収納ボックスの前記内部空間に入れられた際、前記制御部は、前記新たな前記宅配物の前記長さに応じた前記収納スペースを設定し、該収納スペース内の前記単位空間と同数の前記単位空間からなる前記空きスペースが前記内部空間に残されている前記収納ボックスがあるか否かを判定し、判定結果に応じた情報を報知するとよい。
上記の構成では、新たな宅配物がいずれかの収納ボックス内に入れられたとき、各収納ボックスにおける空きスペースのうち、新たな宅配物を収納するのに適した空きスペースがあるか否かを判定し、その判定結果に応じた情報を報知する。このような構成であれば、新たな宅配物を収納するのに適した空きスペースがある場合、当該スペースを収納スペースとして利用することができ、結果として各収納ボックスを効率よく利用することが可能となる。
【発明の効果】
【００１５】
本発明の宅配物収納システムによれば、収納ボックスの内部空間において、宅配物の大きさに応じた収納スペースを適切に確保することが可能である。以上により、本発明の宅配物収納システムでは、様々な大きさの宅配物に対して柔軟に対応することが可能となる。
【図面の簡単な説明】
【００１６】
【図１】本発明の一実施形態に係る宅配物収納システムの設置場所を示す平面図である。
【図２】本発明の一実施形態に係る宅配物収納システムの構成機器を示す図である。
【図３】収納ボックスの外観を示す図である。
【図４】収納ボックスの内部構造を示す模式図である。
【図５】本発明の一実施形態に係る宅配物収納システムの制御関連機器を説明するためのブロック図である。
【図６】収納ボックス中の空きスペースに関する情報を表示した画面例を示す図である。
【図７】各収納ボックスの空きスペースに対する判定結果に応じた情報を表示した画面例を示す図である。
【図８】本発明の一実施形態に係る宅配物収納システムを利用して宅配物を収納するフローの流れを示す図である（その１）。
【図９】本発明の一実施形態に係る宅配物収納システムを利用して宅配物を収納するフローの流れを示す図である（その２）。
【図１０】変形例に係る可動部を搭載した収納ボックスの内部構造を示す図である。
【発明を実施するための形態】
【００１７】
以下、本発明の一実施形態（以下、本実施形態）について、具体例を挙げて説明する。なお、以下に説明する実施形態は、本発明の理解を容易にするためのものであり、本発明を限定するものではない。すなわち、本発明は、その趣旨を逸脱することなく、変更、改良され得る。また、当然ながら、本発明にはその等価物が含まれ得る。
【００１８】
＜＜本実施形態に係る宅配物収納システムの概要＞＞
本実施形態に係る宅配物収納システム（以下、本システムＳ）の概要について、図１を参照しながら説明する。図１は、本システムＳの設置場所を示す平面図である。なお、図１に図示した場所については、本システムＳの設置場所の一例に過ぎず、本システムＳが設置される建物の構造に応じて適切に設置し得る限り、自由に決めることが可能である。
【００１９】
本システムＳは、荷受人不在時に当該荷受人宛の宅配物を収納する際に用いられるものであり、図１に示すように、例えばマンション等の集合住宅Ｍに設置されている。具体的に説明すると、宅配業者は、集合住宅内に設けられた専用通路Ｒｐを通って本システムＳの設置場所にアクセスし、専用通路Ｒｐ側から宅配物を本システムＳの収納ボックス１０内に入れる。荷受人は、集合住宅の共用部Ｈｏから本システムＳの設置場所にアクセスし、上記の専用通路Ｒｐとは反対側から収納ボックス１０を開いて宅配物を受け取る。
【００２０】
＜＜本実施形態に係る宅配物収納システムの構成＞＞
本システムＳの構成について、図２乃至図５を参照しながら説明する。図２は、収納ボックスユニット１等の本システムＳを構成する機器を示す図である。図２中に図示した収納ボックス１０については、その符号と共に、識別用の番号（＃１、＃２、＃３）が付されている。例えば、図２中、紙面において最も左側に位置する収納ボックス１０は、番号＃１の収納ボックス１０である。
【００２１】
図３は、収納ボックスユニット１を構成する各収納ボックス１０の外観を示す図であり、上から三段目までの扉１１が開けられた状態の収納ボックス１０を正面（共用部Ｈｏに面している側）から見た図である。図４は、収納ボックスユニット１を構成する各収納ボックス１０の内部構造を示す図であり、収納ボックス１０の側方断面を示す模式図である。図５は、本システムＳの制御関連機器を示すブロック図である。
【００２２】
本システムＳは、図２に示すように、収納ボックスユニット１と、ディスプレイ２とを有する。収納ボックスユニット１は、水平方向に並んだ複数（図２に示す構成では、３個）の収納ボックス１０によって構成されている。収納ボックスユニット１を構成する収納ボックス１０の数については、任意の数に可能である。ディスプレイ２は、宅配業者に対して情報を表示するための画面を構成しており、収納ボックスユニット１の付近に設置されている。
【００２３】
収納ボックス１０は、図３に図示した外観を有する収容器であり、その内部空間Ｖに宅配物を収納する。各収納ボックス１０の内部空間Ｖには、図４に示すように仕切板３、センサ４及び昇降機構５が設置されている。
【００２４】
また、本システムＳは、図５に示すように、制御部としてのコントローラ２０を備える。コントローラ２０は、本システムＳが設置された集合住宅Ｍの管理室に設置されたコンピュータ、あるいは、収納ボックスユニット１付近に設置された制御回路（マイコン）等によって構成されている。コントローラ２０は、ディスプレイ２に情報を表示したり、昇降機構５を制御して仕切板３の位置を変更したりする。
【００２５】
本システムＳの各構成機器について詳しく説明する。
収納ボックスユニット１を構成する複数の収納ボックス１０は、いずれも同様の構成となっている。各収納ボックス１０は、鉛直方向に長い直方体状のボックスである。つまり、各収納ボックス１０の内部空間Ｖは、鉛直方向に長い空間となっている。本実施形態では、図４に示すように、鉛直方向において収納ボックス１０の内部空間Ｖを仕切板３によって最大Ｎ個（Ｎは２以上の自然数）の単位空間Ｖｕに区画することが可能である。
【００２６】
換言すると、各収納ボックス１０の内部空間Ｖは、鉛直方向において列状に並んだ複数の単位空間Ｖｕによって構成されている。つまり、本実施形態では、鉛直方向が、複数の単位空間Ｖｕが並ぶ方向に相当する。
【００２７】
ここで、「単位空間Ｖｕ」とは、収納ボックス１０の内部空間Ｖを区画する際の最小単位であり、一般的な宅配ボックスと同じ容積（例えば、外寸合計が１２０ｃｍ程度の段ボールを一つだけ収めることが可能な容積）を有する直方体状の空間である。
【００２８】
なお、本実施形態では、収納ボックス１０の内部空間Ｖが６個の単位空間Ｖｕによって構成されていることとし、各単位空間Ｖｕの容積及び寸法が単位空間Ｖｕ間で均一となっていることとする。ただし、これに限定されるものではなく、内部空間Ｖを構成する単位空間Ｖｕの数については任意に決めることが可能である。また、内部空間Ｖを構成する各単位空間Ｖｕの容積及びサイズについては、単位空間Ｖｕ間で異なっていてもよい。
【００２９】
収納ボックス１０の正面部及び背面部には、それぞれ、扉１１、１２が設けられている。収納ボックス１０の正面部に設けられた扉１１は、集合住宅Ｍの共用部Ｈｏに面しており、収納ボックス１０内の宅配物を荷受人が取り出す際に開かれる。扉１１は、図３に示すように複数の単位空間Ｖｕの各々に対して設けられている。つまり、収納ボックス１０の正面部には、単位空間Ｖｕと同数（すなわち、６個）の扉１１が列状に並んで設けられている。そして、いずれかの扉１１が開けられると、その扉１１と同じ高さに配置された単位空間Ｖｕの正面側開口が共用部Ｈｏに対して露出するようになる。
【００３０】
本実施形態において、複数（具体的には６個）の扉１１は、図３に示すように鉛直方向に連なった状態で並んでおり、上下に隣り合う扉１１同士は、互いに隣接している。したがって、複数の扉１１をすべて開けると、収納ボックス１０の正面側開口全体が露出するようになる。
【００３１】
また、各々の扉１１には、図５に図示の電子錠３１が取り付けられている。各々の扉１１は、通常、電子錠３１がロックされた施錠状態となっている。荷受人が宅配物を受け取るために開錠操作を行うと、その宅配物が収納された単位空間Ｖｕに設けられた扉１１の電子錠３１がロック解除されて、当該扉１１が開錠状態となる。
【００３２】
収納ボックス１０の背面部に設けられた扉１２は、集合住宅Ｍの専用通路Ｒｐに面しており、宅配業者が収納ボックス１０内に宅配物を入れる際に開けられる。扉１２は、図４に示すように複数の単位空間Ｖｕの各々に対して設けられている。つまり、収納ボックス１０の背面部には、単位空間Ｖｕと同数（すなわち、６個）の扉１２が列状に並んで設けられている。そして、いずれかの扉１２が開けられると、その扉１２と同じ高さに配置された単位空間Ｖｕの背面側開口が専用通路Ｒｐに対して露出するようになる。
【００３３】
本実施形態において、複数（具体的には、６個）の扉１２は、図４に示すように鉛直方向に連なった状態で並んでおり、上下に隣り合う扉１２同士は、互いに隣接している。したがって、複数の扉１２をすべて開けると、収納ボックス１０の背面側開口全体が露出するようになる。
【００３４】
なお、各々の扉１２には、図５に図示の電子錠３２が取り付けられている。各々の扉１２は、通常、電子錠３２がロックされていない開錠状態となっている。宅配業者が収納ボックス１０内に宅配物を入れた後に所定の処理が実行されると、その宅配物が収納された単位空間Ｖｕに対して設けられた扉１２の電子錠３２がロックされ、当該扉１２が施錠状態となる。
【００３５】
仕切板３は、収納ボックス１０の内部空間Ｖに配置されており、隣接する単位空間Ｖｕ同士を仕切るための仕切部である。仕切板３は、図４に示すように、各収納ボックス１０内に複数（具体的には、単位空間Ｖｕの数に応じた数）設けられている。
【００３６】
本実施形態において、仕切板３は、昇降機構５によって鉛直方向に移動することが可能である。具体的に説明すると、仕切板３は、通常、収納ボックス１０の内部空間Ｖの最上部に設定された待機位置にある。かかる状態において、宅配業者が収納ボックス１０内に宅配物を入れるために扉１２を開けると、これに伴って昇降機構５が作動して仕切板３が上下移動（昇降）する。なお、仕切板３は、一枚ずつ移動し、移動後には単位空間Ｖｕの境界位置（すなわち、隣接する単位空間Ｖｕ同士を仕切る位置）に配置される。
【００３７】
センサ４は、収納ボックス１０の内部空間Ｖに宅配物が入れられた際に内部空間Ｖ内で宅配物を検知する検知部である。また、センサ４は、検知した宅配物の高さ（すなわち、鉛直方向における宅配物の長さ）に応じた信号を出力する。
【００３８】
具体的に説明すると、本実施形態に係るセンサ４は、対象物の高さを測るために上下移動しながら光を照射し、その光の反射光を受光する光学式のセンサである。つまり、センサ４は、鉛直方向において対象物が存在する範囲を移動している間、反射光を受光し続けているので受光信号を出力する。一方、センサ４は、鉛直方向において対象物が存在しない位置に至ると、反射光を受光しなくなるので非受光信号を出力する。そして、受光信号を出力している間のセンサ４の位置と、非受光信号を出力し始めたときのセンサ４の位置とに基づいて、対象物の高さが特定されるようになる。
【００３９】
上述したセンサ４による宅配物の高さ計測は、収納ボックス１０の内部空間Ｖで実施され、より厳密には、内部空間Ｖの上方部分で実施されることになっている。具体的に説明すると、宅配業者は、収納ボックス１０内に宅配物を入れる際に、宅配物の高さに応じた数の扉１２を上から順に開ける。ここで、「宅配物の高さに応じた数」とは、宅配物を収納ボックス１０内に入れるのに必要なサイズの開口（宅配物投入口）を確保するために開けられる扉１２の数のことである。例えば、段ボール二箱分の高さを有する宅配物を入れる場合には、上から二段目分の扉１２（すなわち、上下に連続する二つの扉１２）を空けることになる。
【００４０】
宅配物の高さに応じた数の扉１２が開けられた後、宅配業者が開けられた扉１２の単位空間Ｖｕ内に宅配物を入れると、センサ４が当該宅配物を検知し、当該宅配物の高さに応じた信号（受光信号及び非受光信号）を出力するようになる。
【００４１】
なお、本実施形態では、宅配物の高さを光学センサによって計測することとしたが、これに限定されるものではなく、収納ボックス１０内で適切に計測し得る手段であれば、制限なく利用することが可能である。
【００４２】
昇降機構５は、仕切板３の位置を変更するために動く可動部であり、収納ボックス１０の内部空間Ｖに配置されている。昇降機構５は、内部空間Ｖ内で鉛直方向に移動して仕切板３を昇降させる。
【００４３】
昇降機構５の構成について、図４を参照しながら説明すると、昇降機構５は、内部空間Ｖの側端部に配置されたガイドレール５ａと、ガイドレール５ａに沿って上下移動するキャリア５ｂと、キャリア５ｂに取り付けられてキャリア５ｂと一体的に移動するピックアップ機構５ｃと、を有する。ガイドレール５ａは、内部空間Ｖの上端から下端まで延出している。キャリア５ｂは、不図示の駆動モータを備え、この駆動モータの回転力を利用して上下移動する。ピックアップ機構５ｃは、仕切板３を一枚ずつピックアップし、ピックアップした仕切板３を保持（把持）する。
【００４４】
本実施形態では、キャリア５ｂ及びピックアップ機構５ｃが仕切板３と同じ数だけ設けられている。なお、図４では、図示の都合上、キャリア５ｂ及びピックアップ機構５ｃを２個のみ図示している。
【００４５】
以上のように構成された昇降機構５は、宅配業者が収納ボックス１０内に宅配物を入れた際に作動する。より具体的に説明すると、前述したように、仕切板３は、通常、収納ボックス１０の内部空間Ｖの最上部に設定された待機位置にある。かかる状態において、宅配業者が収納ボックス１０内に宅配物を入れるために扉１２を開くと、キャリア５ｂが上記の待機位置まで移動し、その位置にてピックアップ機構５ｃが仕切板３を一枚だけピックアップする。
【００４６】
その後、キャリア５ｂは、開けられた扉１２の位置と対応する位置まで下降し、下降後の位置で停止する。これにより、ピックアップ機構５ｃに保持された仕切板３は、扉１２が開けられた単位空間Ｖｕ（以下、開放空間）と扉１２が開けられていない単位空間Ｖｕ（以下、非開放空間）との境界位置に配置される。かかる状態になった段階で宅配業者が収納ボックス１０内に宅配物を入れる。
【００４７】
さらに、収納ボックス１０内に入った宅配物をセンサ４が検知し、当該宅配物の高さに応じた信号がセンサ４から出力されると、昇降機構５が再度作動する（キャリア５ｂが再度下降する）。これにより、ピックアップ機構５ｃに保持された仕切板３の位置が再び変化する。
【００４８】
コントローラ２０は、図５に示すように、昇降機構５、電子錠３１、３２及びディスプレイ２を制御する。また、コントローラ２０は、各収納ボックス１０の利用状況（具体的には、収納ボックス１０の内部空間Ｖ中、宅配物によって占められている単位空間Ｖｕの数）を把握している。換言すると、コントローラ２０は、各収納ボックス１０における空きスペース（具体的には、宅配物未収納状態にある単位空間Ｖｕの数）を特定する。
【００４９】
コントローラ２０の機能について詳述すると、コントローラ２０は、収納ボックス１０内に宅配物が入れられた際に昇降機構５を制御して動かす。これにより、収納ボックス１０内に宅配物を収納する上で最適な位置に仕切板３が移動し、結果として、収納ボックス１０の内部空間Ｖ内において宅配物が効率よく収納されるようになる。
【００５０】
より具体的に説明すると、収納ボックス１０内に宅配物が入れられると、センサ４が収納ボックス１０の内部空間Ｖで宅配物を検知し、当該宅配物の高さに応じた信号を出力する。コントローラ２０は、センサ４から出力された信号を受信すると、当該信号に基づき、収納ボックス１０内に入れられた宅配物の高さを特定する。
【００５１】
また、コントローラ２０は、特定した宅配物の高さに応じて、当該宅配物の収納スペースを内部空間Ｖの中で設定する。厳密に説明すると、コントローラ２０は、宅配物の高さに応じた収納スペースを設定するにあたり、単位空間Ｖｕの高さをＸ倍した値を求める。ここで、Ｘは、単位空間Ｖｕの高さを乗じたときの積が宅配物の高さを超え得る最小の自然数である。そして、コントローラ２０は、求めたＸと同じ数だけ単位空間Ｖｕを積み重ねることで確保されるスペースを、収納スペースとして設定する。
【００５２】
さらに、コントローラ２０は、設定した収納スペース内にある単位空間Ｖｕが連続するような位置に仕切板３の位置を変更させるために昇降機構５を動かす。そして、収納ボックス１０内に宅配物が入れられる度、コントローラ２０は、宅配物の高さを設定し、その高さに応じた収納スペースを設定し、収納スペース内にある単位空間Ｖｕが連続するように昇降機構５を動かして仕切板３の位置を変更させる。
【００５３】
以上のように仕切板３の位置が変更すると、鉛直方向において宅配物の高さに応じた数だけ連続した単位空間Ｖｕが、収納スペースとして仕切板３の直上位置に確保されるようになる。これにより、宅配物を収納ボックス１０内に適切に収納することが可能となり、結果として、収納ボックス１０の内部空間Ｖが効率よく利用されるようになる。
【００５４】
内部空間Ｖ内に設定された収納スペースに宅配物を収納する際（換言すると、宅配物を内部空間Ｖに入れる際）、宅配業者は、収納ボックス１０の背面部に設けられた扉１２のうち、鉛直方向において宅配物の高さに応じた数だけ連続して並んでいる扉１２を同時に開ける。例えば、宅配物の高さが段ボールを三箱積み重ねた分の高さに相当する場合、宅配業者は、連続した３個の扉１２を同時に開けることになる。
【００５５】
本実施形態では、前回の宅配物を収納ボックス１０の内部空間Ｖに入れた後に今回の宅配物（すなわち、新たな宅配物）を内部空間Ｖに入れる場合、コントローラ２０は、内部空間Ｖにおいて、前回の宅配物が収納された収納スペースの直上位置に、今回の前記宅配物が収納される収納スペースを設定する。そして、コントローラ２０は、前回の宅配物が収納された収納スペースの中で最上部に位置する単位空間Ｖｕと、今回の宅配物が収納される収納スペースの中で最下部に位置する単位空間Ｖｕと、の境界位置に仕切板３の位置を変更させるために昇降機構５を動かす。このような構成により、本実施形態では、収納ボックス１０の内部空間Ｖをより一層効率よく利用することが可能である。
【００５６】
コントローラ２０の他の機能について説明すると、コントローラ２０は、宅配物が内部空間Ｖ中の収納スペースに収納された後、当該収納スペースの上方に位置している空きスペース内の単位空間Ｖｕの数を算出する。ここで、空きスペース内の単位空間Ｖｕとは、宅配物が収納スペースに収納された時点で未だ宅配物を収納していない単位空間Ｖｕのことである。
【００５７】
なお、空きスペース内の単位空間Ｖｕの数を算出する方法については、特に限定されるものではない。一例を挙げて説明すると、宅配物が収納された状態にある単位空間Ｖｕをセンサ４のスキャン（走査）によって特定する。そして、特定した宅配物収納状態の単位空間Ｖｕの数と収納ボックス１０内の単位空間Ｖｕの数（すなわち、６個）との差から、空きスペース内の単位空間Ｖｕの数を算出することが可能である。
【００５８】
コントローラ２０は、算出した空きスペース内の単位空間Ｖｕの数に応じた情報を報知する処理を実行する。より具体的に説明すると、コントローラ２０は、空きスペースの容量（厳密には、空きスペースの高さ、及び、当該高さを段ボールのサイズで換算した値）を示す文字情報を、空きスペース情報として画面表示する処理を実行する。これにより、ディスプレイ２には、図６に図示するような空きスペース情報が表示されるようになる。図６は、空きスペース情報を表示した画面の一例を示す図である。
【００５９】
宅配業者は、ディスプレイ２に表示された空きスペース情報を見て、今回の宅配物を収納するのに十分な空きスペースが収納ボックス１０内に残っているか否かを確認する。
【００６０】
なお、本実施形態において、コントローラ２０は、空きスペース情報を収納ボックス１０別に報知する。そのため、ディスプレイ２には、図６に示すように収納ボックス１０と同数の空きスペース情報が表示されることになる。これにより、宅配業者は、どの収納ボックス１０にどれだけの空きスペースが残っているかを確認することが可能となる。
【００６１】
コントローラ２０の更なる機能について説明すると、コントローラ２０は、前述したように、各収納ボックス１０について空きスペース内の単位空間Ｖｕの数を算出する。そして、今回の宅配物（新たな宅配物）がいずれかの収納ボックス１０の内部空間Ｖに入れられた際、コントローラ２０は、今回の宅配物の高さに応じた収納スペースを設定する。この際、コントローラ２０は、設定された収納スペース内の単位空間Ｖｕと同数の単位空間Ｖｕからなる空きスペースが内部空間Ｖに残されている収納ボックス１０があるか否かを判定する。
【００６２】
コントローラ２０は、判定結果に応じた情報を報知する処理を実行する。より具体的に説明すると、コントローラ２０は、今回の宅配物に対して設定された収納スペース内の単位空間Ｖｕと同数の単位空間Ｖｕからなる空きスペースが内部空間Ｖに残されている収納ボックス１０があると判定したとき、その収納ボックス１０を示す文字情報を、スペース一致情報として画面表示する処理を実行する。これにより、ディスプレイ２には、図７に示すようなスペース一致情報が表示されるようになる。図７は、スペース一致情報を表示した画面の一例を示す図である。
【００６３】
宅配事業者は、ディスプレイ２に表示されたスペース一致情報を見ることで、今回の宅配物を収まりよく収納することが可能な収納ボックス１０（すなわち、今回の宅配物を収納するのに適した空きスペースが残っている収納ボックス１０）を知るようになる。この結果、収納ボックス１０の内部空間Ｖを一段と効率よく利用することが可能となる。
【００６４】
なお、設定された収納スペース内の単位空間Ｖｕと同数の単位空間Ｖｕからなる空きスペースが内部空間Ｖに残されている収納ボックス１０がない場合、コントローラ２０は、次候補の収納ボックス１０を特定し、当該収納ボックス１０を示す文字情報をディスプレイ２に表示させる。ここで、次候補の収納ボックス１０とは、設定された収納スペース内の単位空間Ｖｕの数より多い数の単位空間Ｖｕからなる空きスペースであって、複数の収納ボックス１０の中で最も少ない単位空間Ｖｕからなる空きスペースが内部空間Ｖに残されている収納ボックス１０のことである。
【００６５】
＜＜本実施形態に係る宅配物収納システムの動作例＞＞
本システムＳの動作例、具体的には、宅配業者が本システムＳを利用して宅配物を収納する手順について説明する。なお、以下では、いずれの収納ボックス１０にも宅配物が収納されていない状態から開始し、下記の順序１〜３に従って宅配物を収納するケースを具体例に挙げて説明することとする。
（宅配物の順序）
順序１  段ボール一箱分の宅配物（以下、宅配物Ａ）を収納する。
順序２  段ボール三箱を積み重ねた分の高さの宅配物（以下、宅配物Ｂ）を収納する。
順序３  段ボール二箱を積み重ねた分の高さの宅配物（以下、宅配物Ｃ）を収納する。
【００６６】
本システムＳを利用して宅配物を収納するフロー（以下、宅配物収納フロー）は、図８及び図９に図示の流れに沿って進められる。図８及び図９は、宅配物収納フローの流れを示す図である。
【００６７】
具体的に説明すると、コントローラ２０は、宅配業者が宅配物を収納ボックス１０内に入れるにあたって、各収納ボックス１０について空きスペース内の単位空間Ｖｕの数を算出する（Ｓ００１）。また、コントローラ２０は、算出された空きスペース内の単位空間Ｖｕの数を示す情報（空きスペース情報）をディスプレイ２に表示する（Ｓ００２）。
【００６８】
詳しく説明すると、宅配物Ａを収納する前段階では、いずれの収納ボックス１０においても、空きスペース内にある単位空間Ｖｕの数が最大数、すなわち６個となっている。したがって、宅配業者が宅配物Ａを届けに来た時点で、ディスプレイ２には、各収納ボックス１０の内部空間Ｖにおける空きスペースが６個の単位空間Ｖｕからなる旨を示す情報が表示される。
【００６９】
上記の状態において、番号＃１の収納ボックス１０に宅配物Ａを収納する際、宅配業者は、番号＃１の収納ボックス１０に設けられた扉１２のうち、最上段の扉１２を開く。コントローラ２０は、扉１２が開けられた単位空間Ｖｕ（開放空間）を特定した上で、昇降機構５を動かして仕切板３を開放空間と非開放空間との境界位置まで移動させる（Ｓ００３、Ｓ００４）。宅配物Ａの場合には、最上段の単位空間Ｖｕと二段目の単位空間Ｖｕとの境界位置に仕切板３の位置を変更させる。
【００７０】
宅配業者は、宅配物Ａを開放空間に投入することで番号＃１の収納ボックス１０内に入れて仕切板３の上に載せる。すると、番号＃１の収納ボックス１０の内部空間Ｖにおいてセンサ４が宅配物Ａを検知するようになる（Ｓ００５）。また、センサ４は、宅配物Ａの高さに応じた信号を出力するようになる（Ｓ００６）。
【００７１】
コントローラ２０は、センサ４から信号を受信すると、その信号に基づいて、宅配物Ａを収納する収納スペースを宅配物Ａの高さに応じて設定する（Ｓ００７）。宅配物Ａの場合、１個の単位空間Ｖｕからなる収納スペースが設定されることになる。
【００７２】
その後、コントローラ２０は、前ステップＳ００７で設定した収納スペース内の単位空間Ｖｕと同数の単位空間Ｖｕからなる空きスペースが内部空間Ｖに残されている収納ボックス１０があるか否かを判定する（Ｓ００８）。宅配物Ａを収納ボックス１０内に入れた段階では、各収納ボックス１０の空きスペース内にある単位空間Ｖｕの数が、いずれも、宅配物Ａに対して設定された収納スペース内の単位空間Ｖｕの数（すなわち、１個）よりも多くなっている。つまり、宅配物Ａを収納する時点では、収納スペース内の単位空間Ｖｕと同数の単位空間Ｖｕからなる空きスペースが内部空間Ｖに残されている収納ボックス１０がないと判断される。
【００７３】
上記の場合、コントローラ２０は、次候補の収納ボックス１０を特定する（Ｓ００９）。ここで、宅配物Ａを収納する時点では、各収納ボックス１０の空きスペース内にある単位空間Ｖｕの数が、いずれも６個であり、収納ボックス１０間で等しくなっている。そこで、コントローラ２０は、その時点で宅配物Ａが入れられている番号＃１の収納ボックス１０を、次候補の収納ボックス１０として特定する。また、コントローラ２０は、特定した次候補の収納ボックス１０を示す情報をディスプレイ２に表示する（Ｓ０１０）。
【００７４】
なお、ステップＳ００８において、収納スペース内の単位空間Ｖｕと同数の単位空間Ｖｕからなる空きスペースが内部空間Ｖに残されている収納ボックス１０があると判断された場合（Ｓ００８でＹｅｓ）、コントローラ２０は、その収納ボックス１０を示す文字情報を、スペース一致情報としてディスプレイ２に表示する（Ｓ０１１）。
【００７５】
その後、コントローラ２０は、ステップＳ０１０やステップＳ０１１でディスプレイ２に表示された収納ボックス１０の内部空間Ｖにおいて収納スペースの位置を決定する（Ｓ０１２）。ここで、収納スペースの位置については、内部空間Ｖの下端から埋まるように決められる。したがって、宅配物Ａの収納スペースは、番号＃１の収納ボックス１０の内部空間Ｖを構成する単位空間Ｖｕのうち、最下段（六段目）の単位空間Ｖｕに設定される。
【００７６】
コントローラ２０は、収納スペースの位置を決定すると、昇降機構５を動かして宅配物Ａが載った仕切板３を下降させる（Ｓ０１３）。宅配物Ａの場合、コントローラ２０は、仕切板３が最下段の単位空間Ｖｕの下端位置に至るまで昇降機構５を動かす。この結果、宅配物Ａは、番号＃１の収納ボックス１０の内部空間Ｖ内で設定された宅配物Ａの収納スペース内に収納されるようになる。
【００７７】
以上のように宅配物Ａは、番号＃１の収納ボックス１０内でサイズ（高さ）が計測された後に、番号＃１の収納ボックス１０内にそのまま収納される。これにより、宅配物Ａのサイズを収納ボックス１０の外で計測してから収納ボックス１０内に移す必要がなく、その分の手間を省略することが可能となる。
【００７８】
宅配物が収納スペースに収納されると、コントローラ２０は、各収納ボックス１０において空きスペース内にある単位空間の数を算出する（Ｓ０１４）。その後、ステップＳ００２に戻り、コントローラ２０が、ステップＳ０１４で算出した空きスペース内の単位空間Ｖｕの数を示す情報（空きスペース情報）をディスプレイ２に表示する。なお、宅配物Ａが収納ボックス１０に収納されてから次の宅配物が収納ボックス１０に収納されるまでの間は、番号＃１の収納ボックス１０における空きスペース内の単位空間Ｖｕの数が５個であり、それ以外の収納ボックス１０における空きスペース内の単位空間Ｖｕの数が６個である。
【００７９】
そして、新たな宅配物が配達されると（Ｓ０１５でＹｅｓ）、その度にステップＳ００２〜Ｓ０１４が繰り返し実施される。
【００８０】
すなわち、宅配物Ｂを収納ボックス１０に新たに入れる場合（Ｓ０１５でＹｅｓ）には、上記のステップＳ００２からステップ０１４までの工程を再び実施することになる。より詳しく説明すると、宅配業者は、宅配物Ｂを収納ボックス１０に入れるに際して、先ずディスプレイ２を見て各収納ボックス１０における空き状況（具体的には、空きスペース内の単位空間Ｖｕの数）を確認し、宅配物Ｂを収納する収納ボックス１０を決める。ここでは、仮に番号＃１の収納ボックス１０に宅配物Ｂを入れることとする。
【００８１】
宅配業者は、番号＃１の収納ボックス１０に設けられた扉１２のうち、最上段から三段目までの扉１２（つまり、連続する３個の扉１２）を開く。その後、ステップＳ００３において、扉１２が開けられた単位空間Ｖｕ（開放空間）のうち、最も下方に位置する単位空間Ｖｕ（具体的には、三段目の単位空間Ｖｕ）が特定される。また、ステップＳ００４では、三段目の単位空間Ｖｕと四段目の単位空間Ｖｕとの境界位置まで仕切板３を移動させるように昇降機構５が昇降する。
【００８２】
仕切板３が上記の位置まで移動した後、宅配業者は、宅配物Ｂを開放空間に投入することで番号＃１の収納ボックス１０内に入れ、宅配物Ｂを仕切板３の上に載せる。その後のステップＳ００５では、センサ４が番号＃１の収納ボックス１０の内部空間Ｖで宅配物Ｂを検知し、また、ステップＳ００６においてセンサ４が宅配物Ｂの高さに応じた信号を出力する。
【００８３】
コントローラ２０がセンサ４から信号を受信すると、ステップＳ００７が実施され、宅配物Ｂを収納する収納スペースが宅配物Ｂの高さに応じて設定される。なお、宅配物Ｂに対しては、３個分の単位空間Ｖｕからなる収納スペースが設定される。
【００８４】
収納スペースが設定されると、ステップＳ００８が実施され、設定された収納スペース内の単位空間Ｖｕと同数の単位空間Ｖｕからなる空きスペースが内部空間Ｖに残されている収納ボックス１０があるか否かを判定する。
【００８５】
宅配物Ｂを収納する時点では、各収納ボックス１０の空きスペース内にある単位空間Ｖｕの数が、いずれも、宅配物Ｂに対して設定された収納スペース内の単位空間Ｖｕの数よりも多くなっている。この場合、ステップＳ００９において次候補の収納ボックス１０を特定し、ステップＳ０１０において次候補の収納ボックス１０を示す情報をディスプレイ２に表示する。なお、宅配物Ｂを収納する時点での次候補の収納ボックス１０は、番号＃１の収納ボックス１０が該当する。
【００８６】
その後のステップＳ０１２では、次候補の収納ボックス１０である番号＃１の収納ボックスユニット１の内部空間Ｖにおいて、宅配物Ｂの収納スペースの位置を決定する。この際、コントローラ２０は、番号＃１の収納ボックスユニット１の内部空間Ｖにおいて、前回の宅配物である宅配物Ａの収納スペースの直上位置に、今回の宅配物である宅配物Ｂの収納スペースを設定する。具体的に説明すると、宅配物Ｂの収納スペースは、番号＃１の収納ボックス１０の内部空間Ｖを構成する単位空間Ｖｕのうち、三段目から五段目の単位空間Ｖｕに設定される。
【００８７】
収納スペースの位置が決定されると、ステップＳ０１３が実施され、コントローラ２０が昇降機構５を動かすことで、宅配物Ｂが載った仕切板３が下降する。より詳しく説明すると、仕切板３は、宅配物Ａの収容スペースを構成する単位空間Ｖｕ（すなわち、六段目の単位空間Ｖｕ）と、宅配物Ｂの収容スペースを構成する単位空間Ｖｕの中で最も下方に位置する単位空間Ｖｕ（すなわち、五段目の単位空間Ｖｕ）との境界位置まで下降する。この結果、宅配物Ｂは、番号＃１の収納ボックス１０の内部空間Ｖ内で設定された収納スペースに収納されるようになる。
【００８８】
宅配物Ｂが収納スペースに収納された後、ステップＳ０１４が実施され、各収納ボックス１０の空きスペース内にある単位空間の数が算出される。その後、再びステップＳ００２に戻り、ステップＳ０１４で算出した空きスペース内の単位空間Ｖｕの数を示す情報（空きスペース情報）をディスプレイ２に表示する。なお、宅配物Ｂが収納ボックス１０に収納されてから次の宅配物が収納ボックス１０に収納されるまでの間は、番号＃１の収納ボックス１０における空きスペース内の単位空間Ｖｕの数が２個であり、それ以外の収納ボックス１０における空きスペース内の単位空間Ｖｕの数が６個である。
【００８９】
以上までの手順により宅配物Ｂが収納ボックス１０に収納される。そして、宅配物Ｂについても、宅配物Ａと同様、番号＃１の収納ボックス１０内でサイズ（高さ）が計測された後に、番号＃１の収納ボックス１０内にそのまま収納される。これにより、宅配物Ｂのサイズを収納ボックス１０の外で計測してから収納ボックス１０内に移す必要がなく、その分の手間を省略することが可能となる。
【００９０】
その後、宅配物Ｃを収納ボックス１０に新たに入れる場合（Ｓ０１５でＹｅｓ）、宅配物Ｂの場合と同様にステップＳ００２からステップＳ０１４までの一連の工程を実施する。詳しく説明すると、宅配業者は、宅配物Ｃを収納ボックス１０に入れるに際して、ディスプレイ２で各収納ボックス１０における空き状況（具体的には、空きスペース内の単位空間Ｖｕの数）を確認し、宅配物Ｃを収納する収納ボックス１０を決める。ここでは、番号＃２の収納ボックス１０を仮の収納先として決めることとする。
【００９１】
宅配業者は、番号＃２の収納ボックス１０に設けられた扉１２のうち、最上段及び二段目の扉１２（つまり、連続する２個の扉１２）を開く。その後のステップＳ００３では、扉１２が開けられた単位空間Ｖｕ（開放空間）のうち、最も下方に位置する単位空間Ｖｕ（具体的には、二段目の単位空間Ｖｕ）が特定され、ステップＳ００４では、二段目の単位空間Ｖｕと三段目の単位空間Ｖｕとの境界位置まで仕切板３を移動させるように昇降機構５が昇降する。
【００９２】
仕切板３が上記の位置まで移動した後、宅配業者は、宅配物Ｃを開放空間に投入することで番号＃２の収納ボックス１０内に入れ、宅配物Ｃを仕切板３の上に載せる。その後のステップＳ００５では、センサ４が番号＃２の収納ボックス１０の内部空間Ｖで宅配物Ｃを検知し、また、ステップＳ００６においてセンサ４が宅配物Ｃの高さに応じた信号を出力する。
【００９３】
コントローラ２０がセンサ４から信号を受信すると、ステップＳ００７が実施され、宅配物Ｃを収納する収納スペースが宅配物Ｃの高さに応じて設定される。なお、宅配物Ｃに対しては、２個分の単位空間Ｖｕからなる収納スペースが設定される。
【００９４】
収納スペースが設定されると、ステップＳ００８が実施され、設定された収納スペース内の単位空間Ｖｕと同数の単位空間Ｖｕからなる空きスペースが内部空間Ｖに残されている収納ボックス１０があるか否かを判定する。
【００９５】
宅配物Ｃを収納する時点では、番号＃１の収納ボックス１０の空きスペース内にある単位空間Ｖｕの数が、宅配物Ｃに対して設定された収納スペース内の単位空間Ｖｕの数（すなわち、２個）と同数である。この場合、ステップＳ０１１が実施され、同ステップにおいて、コントローラ２０は、宅配物Ｃを収まりよく収容可能な空きスペースが残されている収納ボックス１０が番号＃１の収納ボックス１０であることを示す情報（スペース一致情報）をディスプレイ２に表示する。
【００９６】
宅配業者は、ディスプレイ２に表示されたスペース一致情報を見ることで、宅配物Ｃを収まりよく収納することが可能な収納ボックス１０が番号＃１の収納ボックス１０であることを知る。これに応じて、宅配業者は、当初、宅配物Ｃを番号＃２の収納ボックス１０に入れていたところ、番号＃１の収納ボックス１０に入れ直すようになる。
【００９７】
その後、ステップＳ０１２が実施され、番号＃１の収納ボックスユニット１の内部空間Ｖにおいて、宅配物Ｃの収納スペースの位置を決定する。この際、コントローラ２０は、番号＃１の収納ボックスユニット１の内部空間Ｖにおいて、前回の宅配物である宅配物Ｂの収納スペースの直上位置に、今回の宅配物である宅配物Ｃの収納スペースを設定する。具体的に説明すると、宅配物Ｃの収納スペースは、番号＃１の収納ボックス１０の内部空間Ｖを構成する単位空間Ｖｕのうち、最上段の単位空間Ｖｕ及び二段目の単位空間Ｖｕに設定される。
【００９８】
収納スペースの位置が決定されると、ステップＳ０１３が実施され、コントローラ２０が昇降機構５を動かして仕切板３を下降させる。より詳しく説明すると、仕切板３は、宅配物Ｂの収容スペースを構成する単位空間Ｖｕの中で最も上方に位置する単位空間Ｖｕ（すなわち、三段目の単位空間Ｖｕ）と、宅配物Ｃの収容スペースを構成する単位空間Ｖｕの中で最も下方に位置する単位空間Ｖｕ（すなわち、二段目の単位空間Ｖｕ）との境界位置まで下降する。この結果、宅配物Ｃは、番号＃１の収納ボックス１０の内部空間Ｖ内で設定された収納スペース内に収納されるようになる。
【００９９】
宅配物Ｃが収納スペースに収納された後、ステップＳ０１４が実施され、各収納ボックス１０の空きスペース内にある単位空間の数が算出される。その後、再びステップＳ００２に戻り、ステップＳ０１４で算出した空きスペース内の単位空間Ｖｕの数を示す情報（空きスペース情報）をディスプレイ２に表示する。なお、宅配物Ｃが収納ボックス１０に収納されてから次の宅配物が収納ボックス１０に収納されるまでの間は、番号＃１の収納ボックス１０における空きスペース内の単位空間Ｖｕの数が０個であり、それ以外の収納ボックス１０における空きスペース内の単位空間Ｖｕの数が６個である。
【０１００】
以後、新たな宅配物を収納ボックス１０に入れる度にステップＳ００２からステップＳ０１４までの一連の工程が繰り返されることになる。そして、上述した手順と同様の手順にて、宅配物が収納ボックス１０の内部空間Ｖ内に設定された収納スペースに収納される。
【０１０１】
＜＜その他の実施形態＞＞
以上までに本発明の宅配物収納システムについて具体的な実施形態を挙げて説明してきたが、上述の実施形態は、本発明の宅配物収納システムの一例に過ぎず、他の実施形態も考えられる。例えば、上述の実施形態では、収納ボックス１０が縦長のボックスであり、収納ボックス１０の内部空間Ｖが鉛直方向に並ぶ複数の単位空間Ｖｕによって構成されていることとした。すなわち、上述の実施形態では、宅配物の高さに応じた数の単位空間Ｖｕを鉛直方向に連続させて当該宅配物の収納スペースを確保することとした。ただし、これに限定されるものではなく、収納ボックス１０が横長のボックスであり、収納ボックス１０の内部空間Ｖが水平方向（横方向）に並ぶ複数の単位空間Ｖｕによって構成されていてもよい。かかる構成において、宅配物の横幅に応じた数の単位空間Ｖｕを水平方向に連続させて当該宅配物の収納スペースを確保してもよい。
【０１０２】
また、上述の実施形態では、収納ボックス１０の内部空間Ｖにおいて仕切板３の位置を変更するための可動部として、昇降機構５が設けられていることとした。すなわち、上述の実施形態では、昇降機構５の動作により仕切板３の位置が内部空間Ｖにおいて調整されることとした。ただし、可動部は、昇降機構５に限定されるものではなく、他の機構であってもよい。例えば、図１０に示すように、仕切板３を単位空間Ｖｕ間の境界位置で固定したり固定状態を解除したりすることが可能なロック機構６が、可動部として用いられてもよい。図１０は、昇降機構５の代わりにロック機構６が設けられている収納ボックス１０を示す図である。
【０１０３】
ロック機構６について説明すると、ロック機構６は、仕切板３毎に設けられており、図１０に示すように鉤状のロック部６ａを有する。ロック部６ａは、仕切板３に設けられた係合部（不図示）に係脱自在に構成されている。また、ロック部６ａは、コントローラ２０によって動かされ、仕切板３に係合したロック位置と、仕切板３から脱離したアンロック位置との間を移動する。そして、ロック部６ａがロック位置にあるとき、ロック機構６は、仕切板３（厳密には、ロック部６ａと係合している仕切板３）を単位空間Ｖｕ間の境界位置に固定する。反対に、ロック部６ａがアンロック位置にあるとき、ロック機構６は、仕切板３の固定状態を解除する。これにより、仕切板３は、収納ボックス１０から取り外し可能となり、収納ボックス１０の内部空間Ｖの外へ取り出すことが可能となる。
【０１０４】
以上のようなロック機構６が設けられている構成（変形例）において、収納ボックス１０の内部空間Ｖで宅配物の収納スペースが設定されると、コントローラ２０は、当該収納スペース内にある仕切板３と係合しているロック部６ａを特定し、特定したロック部６ａを動かしてアンロック位置まで移動させる。これにより、収納スペース内にある仕切板３が取り外し可能となり、収納スペース内にある仕切板３がすべて取り外されることで、収納スペース内にある単位空間Ｖｕが連続するようになる。
【０１０５】
また、上述の実施形態では、収納ボックス１０における空きスペースに関する情報（空きスペース情報）や、宅配物に対して設定された収納スペースと同じ容量の空きスペースが残された収納ボックス１０を示す情報（スペース一致情報）をディスプレイ２に表示することとした。すなわち、上述の実施形態では、宅配物を収納ボックス１０に適切に収納させる上で宅配業者に報知すべき情報を画面に表示することとした。ただし、これに限定されるものではなく、上記の情報を音声にて再生し、その再生音をスピーカ等によって出力することで宅配業者に報知してもよい。
【符号の説明】
【０１０６】
１  収納ボックスユニット
２  ディスプレイ
３  仕切板（仕切部）
４  センサ
５  昇降機構（可動部）
５ａ  ガイドレール
５ｂ  キャリア
５ｃ  ピックアップ機構
６  ロック機構（可動部）
６ａ  ロック部
１０  収納ボックス
１１  扉
１２  扉
２０  コントローラ（制御部）
３１  電子錠
３２  電子錠
Ｈｏ  共用部
Ｍ  集合住宅
Ｒｐ  専用通路
Ｓ  本システム（宅配物収納システム）
Ｖ  内部空間
Ｖｕ  単位空間
【図１】
2018149017.tif 000003
【図２】
2018149017.tif 000004
【図３】
2018149017.tif 000005
【図４】
2018149017.tif 000006
【図５】
2018149017.tif 000007
【図６】
2018149017.tif 000008
【図７】
2018149017.tif 000009
【図８】
2018149017.tif 000010
【図９】
2018149017.tif 000011
【図１０】
2018149017.tif 000012